(57)【要約】      （修正有）【課題】接続部品の数の削減と部品コストが節約でき、またその接続部品が引き起こす障害を回避することができ、かつハードディスクの増設や交換の手間が軽減できるハードディスク格納装置及びハードディスク格納方法を提供する。【解決手段】コンピュータ本体４０からの各種ケーブル４２，４３を直接接続する直結コネクタを有するハードディスクデバイスと直結コネクタを前面にしてハードディスクデバイスを脱着自在に固定するラックとを備え、コンピュータ本体からの各種ケーブルをハードディスクデバイスの直結コネクタに直接接続し、直結コネクタが前面になるようにハードディスクデバイスをラックに脱着自在に固定し、ラックをコンピュータ本体の増設空間に格納した。【選択図】図６
2010135038.tif 000002
【特許請求の範囲】
【請求項１】
コンピュータ内部に設置されるハードディスクデバイスをコンピュータ本体に格納するハードディスク格納装置であって、コンピュータ本体からの各種ケーブルを直接接続する直結コネクタを有するハードディスクデバイスと前記直結コネクタを前面にして前記ハードディスクデバイスを脱着自在に固定するラックとを備えたことを特徴とするハードディスク格納装置。
【請求項２】
前記ハードディスクデバイスの両側面には前記ラックに固定するためのレールを備えたことを特徴とする請求項１記載のハードディスク格納装置。
【請求項３】
前記ラックの背面側のスペースに冷却ファンを取り付けたことを特徴とする請求項１又は２記載のハードディスク格納装置。
【請求項４】
コンピュータ内部に設置されるハードディスクデバイスをコンピュータ本体に格納するハードディスク格納方法であって、コンピュータ本体からの各種ケーブルをハードディスクデバイスの直結コネクタに直接接続し、前記直結コネクタが前面になるように前記ハードディスクデバイスをラックに脱着自在に固定し、前記ラックをコンピュータ本体の増設空間に格納したことを特徴とするハードディスク格納方法。
【発明の詳細な説明】
【技術分野】
【０００１】
本発明は、コンピュータ内部に設置されるハードディスクデバイスをコンピュータ本体に格納するハードディスク格納装置及びハードディスク格納方法に関する。
【背景技術】
【０００２】
近年、コンピュータ内部に設置されるハードディスクデバイスを格納するコンピュータ本体は、高性能化とともに小型化の要請が著しく高くなっている。すなわち、コンピュータ本体の小型化は、複数台のコンピュータを並べて設置した場合の省スペース化に寄与し、機種を選択する場合の重要な要素となっている。
【０００３】
一方、コンピュータ本体を小型化すると、コンピュータ本体に格納されるハードディスクデバイスの放熱対策が重要となってくる。すなわち、小型化により、コンピュータ本体の筐体内における空気の流れを阻害する要因が増えるので、特に、動作の信頼性を第一とするコンピュータ本体では、筐体内の放熱を保証できない構造で小型化することはできない。
【０００４】
また、コンピュータにとっては、周辺機器の装着性及び拡張性も機種を選択する場合の重要な要素である。特に、ハードディスクの増設や交換は、コンピュータ本体の側面の扉を開けて配線接続を行わなければならないため、増設や交換の手間が大変であるという問題があった。その問題を解決するために、特許文献１に開示されるようなハードディスク装置が提案されている。
【０００５】
【特許文献１】特開平１１−１４９７５８号公報
【発明の開示】
【発明が解決しようとする課題】
【０００６】
しかしながら、特許文献１に開示されたハードディスク装置は、ハードディスクを収納し接続用のコネクタを持つハードディスクボックスとコンピュータ本体の増設空間に配設固定するトレイを備え、トレイにハードディスクボックスを装着／離脱自在とすることにより、コンピュータ本体の前面からハードディスクの増設や交換を行なうことができるものの、図８に示した従来のハードディスクからコンピュータ本体への接続を説明する概略図のように、ハードディスクボックス７２１とトレイ７２４は接続コネクタ７２２と接続ソケット７２３を介して接続され、接続ソケット７２３の各ピンはトレイ７２４の信号接続コネクタ７２５及び電源接続コネクタ７２６に接続され、更に、信号ケーブル７２７、電源ケーブル７２８を介してコンピュータ本体のメイン基板及び電源装置へ接続されているため、接続部品の数が多くなり、その接続部品が引き起こす障害頻度も多くなるという問題があった。
【０００７】
本発明は上記の点に鑑みなされたものであり、コンピュータ本体からの各種ケーブルをハードディスクデバイスの直結コネクタに直接接続し、その直結コネクタが前面になるようにハードディスクデバイスをラックに脱着自在に固定し、ラックをコンピュータ本体の増設空間に格納することにより、接続部品の数の削減と部品コストが節約でき、またその接続部品が引き起こす障害を回避することができ、かつハードディスクの増設や交換の手間が軽減できるハードディスク格納装置及びハードディスク格納方法を提供することを目的とする。
【課題を解決するための手段】
【０００８】
上記目的を達成するため、請求項１のハードディスク格納装置は、コンピュータ内部に設置されるハードディスクデバイスをコンピュータ本体に格納するハードディスク格納装置であって、コンピュータ本体からの各種ケーブルを直接接続する直結コネクタを有するハードディスクデバイスと直結コネクタを前面にしてハードディスクデバイスを脱着自在に固定するラックとを備えたことを特徴とするものである。
【０００９】
また、請求項２のハードディスク格納装置は、請求項１のハードディスク格納装置であって、ハードディスクデバイスの両側面にはラックに固定するためのレールを備えたことを特徴とするものである。
【００１０】
また、請求項３のハードディスク格納装置は、請求項１又は２記載のハードディスク格納装置であって、ラックの背面側のスペースに冷却ファンを取り付けたことを特徴とするものである。
【００１１】
また、請求項４のハードディスク格納方法は、コンピュータ内部に設置されるハードディスクデバイスをコンピュータ本体に格納するハードディスク格納方法であって、コンピュータ本体からの各種ケーブルをハードディスクデバイスの直結コネクタに直接接続し、直結コネクタが前面になるようにハードディスクデバイスをラックに脱着自在に固定し、ラックをコンピュータ本体の増設空間に格納したことを特徴とするものである。
【発明の効果】
【００１２】
請求項１記載のハードディスク格納装置によれば、コンピュータ内部に設置されるハードディスクデバイスをコンピュータ本体に格納するハードディスク格納装置であって、コンピュータ本体からの各種ケーブルを直接接続する直結コネクタを有するハードディスクデバイスと直結コネクタを前面にしてハードディスクデバイスを脱着自在に固定するラックとを備えたので、ハードディスクの増設や交換の手間を軽減することができる。
【００１３】
請求項２記載のハードディスク格納装置によれば、ハードディスクデバイスの両側面にはラックに固定するためのレールを備えたので、既存のハードディスクデバイスであっても確実にラックに固定することができる。
【００１４】
請求項３記載のハードディスク格納装置によれば、ラックの背面側のスペースに冷却ファンを取り付けたので、動作の信頼性を保証することができる。
【００１５】
また、請求項４記載のハードディスク格納方法によれば、コンピュータ内部に設置されるハードディスクデバイスをコンピュータ本体に格納するハードディスク格納方法であって、コンピュータ本体からの各種ケーブルをハードディスクデバイスの直結コネクタに直接接続し、直結コネクタが前面になるようにハードディスクデバイスをラックに脱着自在に固定し、ラックをコンピュータ本体の増設空間に格納したので、接続部品の数の削減と部品コストが節約でき、またその接続部品が引き起こす障害を回避することができ、かつハードディスクの増設や交換の手間を軽減することができる。
【発明を実施するための最良の形態】
【００１６】
本発明の実施の形態を、添付図面に例示した本発明の実施例に基づいて以下に具体的に説明する。
【実施例】
【００１７】
先ず、本発明の実施例について、図面を参照しながら説明する。図１はハードディスク格納装置の一実施例を示す前方斜視図である。図２は同、格納装置におけるラックの前方斜視図である。図３は同、格納装置におけるハードディスクデバイスにレールを螺着した状態を示す斜視図である。
【００１８】
図１において、ハードディスク格納装置はコンピュータ本体の増設空間に格納するラック１０にハードディスクデバイス２０が脱着自在に固定されている。ラック１０は図２に示すようにハードディスクデバイス２０を複数段挿入できる矩形枠１１と矩形枠１１の両下端にＬ字形のフランジ１２、１２を備えている。
【００１９】
ハードディスクデバイス２０は図３に示すようにコンピュータ本体からの信号ケーブル、電源ケーブルが直接接続される信号直結コネクタ２１、電源直結コネクタ２２を備えている。ハードディスクデバイス２０の両側面にはラックに固定するためのレール２３、２３が螺着されている。
【００２０】
ハードディスク格納装置は図１に示すようにラック１０と既存のハードディスクデバイス２０とからなり、ハードディスクデバイス２０の両側面にレール２３、２３をビスで螺着する。レール２３は既存のハードディスクデバイス２０がラック１０の矩形枠１１に脱着自在に固定できるようにするためのものである。
【００２１】
両側面にレール２３、２３を取り付けたハードディスクデバイス２０を信号直結コネクタ２１、電源直結コネクタ２２が前面にくるようにしてラック１０の矩形枠１１に挿入して固定する。ハードディスクデバイス２０をラック１０から脱着するには両側面のレール２３、２３の前部２３ａ、２３ａをつまんで前方に引き出す。
【００２２】
図４は同、格納装置におけるラック１０の後方斜視図である。ラック１０には直結コネクタが前面になるようにハードディスクデバイス２０を固定しているので、ラック１０の背面側の構造がシンプルになり、その空いたスペースに冷却ファン３０を取り付ける場所が自在に確保することができ、ハードディスクデバイス２０の冷却効率を上げることができる。
【００２３】
次にコンピュータ内部に設置されるハードディスクデバイスをコンピュータ本体に格納するハードディスク格納方法について説明する。
【００２４】
図５は本発明のハードディスク格納方法の一実施例としてコンピュータ本体の増設空間にラックを格納した状態を示す斜視図である。図６は同、格納方法におけるハードディスクデバイスの直結コネクタにコンピュータ本体からの各種ケーブルを接続した状態を示す斜視図である。図７は同、格納方法におけるハードディスクデバイスからコンピュータ本体への接続を説明する概略図である。
【００２５】
図５において４０は縦型タワー形状のコンピュータ本体、４１は前面扉である。複数のコンピュータを設置する場合、コンピュータ本体４０を隣り合わせにして横に並べるのが一般的な方法である。コンピュータ本体４０の前面の扉４１を開けるとＣＰＵ本体、送受信ユニット、電源ユニット等の各種ボードの他にコンピュータ内部に設置されるハードディスクデバイス２０を固定するラック１０を格納する増設空間が設けられている。
【００２６】
その増設空間にハードディスクデバイス２０を固定したラック１０を格納する。ラック１０に固定されたハードディスクデバイス２０の前面には、コンピュータ本体４０からの信号ケーブル４２、電源ケーブル４３が直接接続される信号直結コネクタ２１、電源直結コネクタ２２を備えている。
【００２７】
増設空間にラック１０を格納したら、図６、図７に示すようにハードディスクデバイス２０の前面に備えた信号直結コネクタ２１、電源直結コネクタ２２にコンピュータ本体４０のメイン基板及び電源装置からの信号ケーブル４２、電源ケーブル４３を直接接続する。
【００２８】
次に、ハードディスクデバイス２０をメンテナンスするには、コンピュータ本体４０の前面の扉４１を開けハードディスクデバイス２０の前面の信号直結コネクタ２１、電源直結コネクタ２２から信号ケーブル４２、電源ケーブル４３を抜き、ハードディスクデバイス２０の両側面のレール２３、２３の前部２３ａ、２３ａをつまんで前方に引き出してラック１０から脱着する。
【００２９】
このようにすれば、コンピュータ本体側面の扉を開けることなく、前面からのハードディスクの脱着が可能となるので、コンピュータ本体を横並びにしたり、ラックマウント形式で縦積みにして設置しても全く問題がない。
【００３０】
以上説明したように、本発明のハードディスク格納装置及びハードディスク格納方法によれば、コンピュータ本体からの各種ケーブルを直接接続する直結コネクタを有するハードディスクデバイスと直結コネクタを前面にしてハードディスクデバイスを脱着自在に固定するラックとを備えたので、ハードディスクの増設や交換の手間を軽減することができる。
【００３１】
また、コンピュータ本体からの各種ケーブルをハードディスクデバイスの直結コネクタに直接接続し、直結コネクタが前面になるようにハードディスクデバイスをラックに脱着自在に固定し、ラックをコンピュータ本体の増設空間に格納したので、接続部品の数の削減と部品コストが節約でき、またその接続部品が引き起こす障害を回避することができる。
【図面の簡単な説明】
【００３２】
【図１】本発明のハードディスク格納装置の一実施例を示す前方斜視図である。
【図２】同、格納装置におけるラックの前方斜視図である。
【図３】同、格納装置におけるハードディスクデバイスにレールを螺着した状態を示す斜視図である。
【図４】同、格納装置におけるラックの後方斜視図である。
【図５】本発明のハードディスク格納方法の一実施例としてコンピュータ本体の増設空間にラックを格納した状態を示す斜視図である。
【図６】同、格納方法におけるハードディスクデバイスの直結コネクタにコンピュータ本体からの各種ケーブルを接続した状態を示す斜視図である。
【図７】同、格納方法におけるハードディスクデバイスからコンピュータ本体への接続を説明する概略図である。
【図８】従来のハードディスクからコンピュータ本体への接続を説明する概略図である。
【符号の説明】
【００３３】
１０  ラック
１１  矩形枠
１２  Ｌ字形のフランジ
２０  ハードディスクデバイス
２１  信号直結コネクタ
２２  電源直結コネクタ
２３  レール
３０  冷却ファン
４０  コンピュータ本体
４１  前面の扉
４２  信号ケーブル
４３  電源ケーブル
【図１】
2010135038.tif 000003
【図２】
2010135038.tif 000004
【図３】
2010135038.tif 000005
【図４】
2010135038.tif 000006
【図５】
2010135038.tif 000007
【図６】
2010135038.tif 000008
【図７】
2010135038.tif 000009
【図８】
2010135038.tif 000010